(57)【要約】【課題】  本発明の目的は、記録物が切断片によって傷つくことを防ぐ記録装置を提供することである。【解決手段】  記録装置は、搬送方向に記録媒体を搬送する第１搬送手段と、記録媒体に画像を記録する記録部と、搬送方向と交差する交差方向に記録媒体を切断するカッターと、所定位置で記録媒体を搬送方向に切断するスリッターと、搬送方向においてカッターの下流に設けられ、搬送方向に記録媒体を搬送する第２搬送手段と、カッターとスリッターとで記録媒体を切断して、画像が記録された記録物と、交差方向において記録物から切断された切断片とを排出する制御を行う制御手段と、を備える記録装置であって、制御手段は、画像が記録されかつ搬送方向に切断された記録媒体における画像の後端側をカッターで切断させて記録物を排出させた後に、第２搬送手段に切断片を保持させる制御を行うことを特徴とする。【選択図】  図１２
2020163773.tif 000002
【特許請求の範囲】
【請求項１】
搬送方向に記録媒体を搬送する第１搬送手段と、
前記搬送方向において前記第１搬送手段の下流に設けられ、記録媒体に画像を記録する記録部と、
前記搬送方向において前記記録部の下流に設けられ、前記搬送方向と交差する交差方向に記録媒体を切断するカッターと、
前記搬送方向において前記カッターの下流に設けられ、所定位置で記録媒体を前記搬送方向に切断するスリッターと、
前記搬送方向において前記カッターの下流に設けられ、前記搬送方向に記録媒体を搬送する第２搬送手段と、
前記カッターと前記スリッターとで記録媒体を切断して、画像が記録された記録物と、前記交差方向において記録物から切断された切断片とを排出する制御を行う制御手段と、を備える記録装置であって、
前記制御手段は、画像が記録されかつ前記搬送方向に切断された記録媒体における画像の後端側を前記カッターで切断させて記録物を排出させた後に、前記第２搬送手段に前記切断片を保持させる制御を行うことを特徴とする記録装置。
【請求項２】
前記第２搬送手段を前記交差方向に移動させる移動手段を有し、
前記移動手段は、前記切断片を保持した状態で前記第２搬送手段を移動させることを特徴とする請求項１に記載の記録装置。
【請求項３】
前記制御手段は、前記記録物を排出させた後に、前記第２搬送手段に前記切断片を排出させる制御を行うことを特徴とする請求項１または２に記載の記録装置。
【請求項４】
前記第２搬送手段は、駆動手段によって回転する第１のローラと、前記第１のローラに従動する第２のローラを備えていることを特徴とする請求項１ないし３の何れか１項に記載の記録装置。
【請求項５】
前記第２搬送手段は、前記スリッターに設けられていることを特徴とする請求項１ないし４の何れか１項に記載の記録装置。
【請求項６】
前記記録物と前記切断片とを仕分ける仕分け手段を有することを特徴とする請求項１ないし５の何れか１項に記載の記録装置。
【請求項７】
前記仕分け手段によって仕分けられた前記記録物を収容する第１の排出部と前記切断片を収容する第２の排出部とを備えていることを特徴とする請求項６に記載の記録装置。
【請求項８】
前記スリッターは、回転機構を有し、
記録媒体を切断する第１の高さと、記録媒体を切断しない第２の高さに前記回転機構によって移動することを特徴とする請求項１ないし７の何れか１項に記載の記録装置。
【請求項９】
前記スリッターは前記交差方向に複数あることを特徴とする請求項１ないし８の何れか１項に記載の記録装置。
【請求項１０】
前記スリッターを選択する選択手段を備え、
前記制御手段は、前記選択手段で選択された前記スリッターと前記交差方向における画像の幅とに応じて、前記交差方向における前記スリッターの位置を設定することを特徴とする請求項９に記載の記録装置。
【発明の詳細な説明】
【技術分野】
【０００１】
本発明は、記録媒体に画像を記録し、記録媒体から切断した記録物を排出する記録装置に関するものである。
【背景技術】
【０００２】
特許文献１には、長尺の記録媒体を搬送方向と平行に切断するスリッターを備えた印刷システムが開示されている。このシステムにおいてスリッターは画像の記録領域を挟むように記録媒体の幅方向における両端のマージンを切断することができる。このため、画像を記録した後に記録媒体からマージンを手動で切断する必要がない。
【先行技術文献】
【特許文献】
【０００３】
【特許文献１】特開２０１７−１３４８号公報
【発明の概要】
【発明が解決しようとする課題】
【０００４】
しかし、特許文献１では記録領域の幅方向における両端のマージンをスリッターで切断することによって切断片が発生する。このようなシステムにおいて、記録物と切断片は同じ排出部に混在するように排出されることがある。この結果、記録物が切断片によって傷つくという課題があった。本発明の目的は、記録物が切断片によって傷つくことを防ぐ記録装置を提供することである。
【課題を解決するための手段】
【０００５】
記録装置は、搬送方向に記録媒体を搬送する第１搬送手段と、搬送方向において第１搬送手段の下流に設けられ、記録媒体に画像を記録する記録部と、搬送方向において記録部の下流に設けられ、搬送方向と交差する交差方向に記録媒体を切断するカッターと、搬送方向においてカッターの下流に設けられ、所定位置で記録媒体を搬送方向に切断するスリッターと、搬送方向においてカッターの下流に設けられ、搬送方向に記録媒体を搬送する第２搬送手段と、カッターとスリッターとで記録媒体を切断して、画像が記録された記録物と、交差方向において記録物から切断された切断片と、を排出する制御を行う制御手段と、を備える記録装置であって、制御手段は、画像が記録されかつ搬送方向に切断された記録媒体における画像の後端側をカッターで切断させて記録物を排出させた後に、第２搬送手段に前記切断片を保持させる制御を行うことを特徴とする。
【発明の効果】
【０００６】
本発明によれば、記録媒体から切断された記録物と切断片とが混在しないため、記録物が切断片によって傷つくことを防ぐことができる。
【図面の簡単な説明】
【０００７】
【図１】第１の実施形態における記録装置の断面図である。
【図２】カッターおよびスリッターの上面図である。
【図３】スリッターユニットにおける可動刃の上面図と側面図である。
【図４】スリッターユニットの正面図である。
【図５】記録装置における制御構成を示す概略ブロック図である。
【図６】記録と切断の動作を説明するためのフローチャートである。
【図７】所定位置に配置されたスリッターユニットの状態を説明する図である。
【図８】画像を記録しながらスリッターユニットでシートを切断する状態を説明する図である。
【図９】画像の後端側までスリッターユニットで切断する状態を説明する図である。
【図１０】シートの被切断位置がカッターユニットによる切断位置に配置された状態を説明する図である。
【図１１】カッターユニットがシートを切断する状態を説明する図である。
【図１２】記録物が自重で排出される状態を説明する図である。
【図１３】切断片が排出される状態を説明する図である。
【図１４】２台のスリッターユニットを用いた場合に、記録物が自重で排出される状態を説明する図である。
【図１５】２台のスリッターユニットが切断片を排出する状態を説明する図である。
【図１６】第２の実施形態における記録と切断の動作を説明するためのフローチャートである。
【図１７】スリッターユニットが切断片を移動する状態を説明する図である。
【図１８】２台のスリッターユニットが切断片を移動する状態を説明する図である。
【発明を実施するための形態】
【０００８】
以下、図面を用いて本発明の実施形態を説明する。なお、以下の実施形態は本発明を限定するものではない。なお、同一の構成については同じ符号を付して説明する。また、実施形態に記載されている構成要素の相対配置、形状はあくまで例示であり、この発明の範囲をそれらのみに限定する趣旨のものではない。
【０００９】
（第１の実施形態）
（記録装置）
図１は第１の実施形態における記録装置の断面図である。ここでは、記録装置１００はインクジェット方式でシートに画像を記録する。記録装置１００には、長尺のシートがロール状に巻回されたロールシート１が保持されている。ロールシート１から供給されたシート１は、上ガイド６及び下ガイド７で形成されるシートの供給経路を通り下流へ送られる。その後、搬送ローラ８とピンチローラ９とで挟持されたシート１は、搬送ローラ８の回転駆動によって下流の画像記録部へ搬送される。
【００１０】
画像記録部に搬送されたシート１は、記録ヘッド２によって吐出されたインクで画像が記録される。画像記録部は、記録ヘッド２と、記録ヘッド２を走査するキャリッジ３と、記録ヘッド２に対向して配置されたプラテン１０とを備えている。キャリッジ３は、互いに平行に配置されたキャリッジシャフト４と不図示のガイドレールに沿ってシート１の幅方向に摺動可能に支持されている。搬送ローラ８による搬送方向（Ｙ方向）へのシート１の搬送と記録ヘッド６による搬送方向と交差する交差方向への走査を交互に行うことによって、シート１に画像が記録される。
【００１１】
キャリッジ３には、プラテン１０の方向に光を照射し、反射した光を受光する反射型の検出センサ１２が搭載されている。検出センサ１２は、照射した光のスポット位置にある物質の反射率を検出できる。例えば、プラテン１０が黒色、シートが白色の場合、両者の反射率は大きく異なる。搬送ローラ８でシート１を搬送中に、搬送方向におけるシート１の先端部が検出センサ１２のスポット位置を通過すると反射率が大きく変化する。この結果、シート１の先端部を検出することができる。また、検出センサ１２はキャリッジ３に搭載されているため、キャリッジ３の往復動作によってシート１の幅方向の端部の位置を検出できる。
【００１２】
シート１の搬送方向におけるキャリッジ３の下流には、搬送方向と交差する交差方向にシート１を切断するためのカッター５が設けられている。さらにその下流に搬送方向にシート１を切断するためのスリッター１３が設けられている。スリッター１３より下流には、シート１から切断された画像が記録された記録物とシート１の幅方向（Ｘ方向）におけるマージンを切断した切断片を排出するための排出ガイド１１が設けられている。排出ガイド１１のさらに下流には記録物および切断片を収容する排出部２０が配置されている。
【００１３】
ここでカッター５およびスリッター１３について図２から図４を用いて説明する。図２はカッターおよびスリッターの上面図である。図２に示すようにシート１の搬送方向の下流に向かって記録ヘッド２、カッター５、スリッター１３が配置されている。図３は、スリッターユニット３０３における可動刃の（ａ）上面図と（ｂ）側面図である。図４は、スリッターユニット３０３Ｌの正面図である。シート１は、幅方向に第１の端部１ａと第２の端部１ｂを有している。第１の端部１ａは基準側であり、シートのサイズによらず同じ位置となる。
【００１４】
カッター５は、カッターキャリッジ２００、カッターユニット３００、ガイドレール１０１、ベルト１０２、カッターモータ１０３、テンショナプーリ１０８を備えている。ガイドレール１０１は、シートの搬送方向と交差する交差方向（Ｘ方向）にカッターキャリッジ２００をガイドする。カッターキャリッジ２００は、カッターユニット３００と、ベルト１０２とがそれぞれ一体に結合されている。またベルト１０２は、ガイドレール１０１の両端に配置されたモータプーリ１０７と、テンショナプーリ１０８との間に巻回されている。ベルト１０２は、モータプーリ１０７に接続されたカッターモータ１０３によって可動できる。カッターモータ１０３にはカッターエンコーダ１０４が備えられている。したがって、カッターエンコーダ１０４によって位置を制御しながら、カッターキャリッジ２００をＸ１方向とＸ２方向とに移動させることができる。
【００１５】
カッターユニット３００は、カッター上可動刃３０１とカッター下可動刃３０２とを有し、それらの接触点でカッターキャリッジ２００の移動に伴いシート１を切断する。カッター下可動刃３０２は、カッターモータ１０３からベルト１０２、カッターキャリッジ２００を介して回転駆動される。そのため、カッター下可動刃３０２に接触するカッター上可動刃３０１はカッター下可動刃３０２とともに回転しながらシート１を切断する。なお、シート１の切断時、カッターキャリッジ２００は、待機位置Ｐ１から所定の反転位置までＸ１方向に移動する。シート１を切断すると、カッターキャリッジ２００は、所定の反転位置で反転して待機位置Ｐ１までＸ２方向に移動する。シート１の切断が終了するとカッターユニット３００は次の切断に備えて待機する。
【００１６】
スリッター１３は、スリッターユニット３０３とスリッターガイドレール３０７を備えている。本実施形態では、スリッターユニット（３０３Ｌ，３０３Ｒ）を２台搭載している。スリッターユニット３０３Ｌとスリッターユニット３０３Ｒは搬送方向に対して対称で、同じ部品構成となっている。このため、ここではスリッターユニット３０３Ｌについて説明をする。スリッターユニット３０３Ｌは、シート１の切断を行うためにスリッター上可動刃３０４Ｌとスリッター下可動刃３０５Ｌを備え、さらにシート１の搬送を行うためにスリッター搬送ローラ３２０Ｌとスリッター従動ローラ３２１Ｌを備えている。また、スリッターユニット３０３Ｌは、Ｘ方向に移動するために、スリッター移動ローラ３０６Ｌ、スリッター移動モータ１４Ｌ、スリッター移動エンコーダ３０９Ｌを備えている。
【００１７】
スリッター移動ローラ３０６Ｌは、ギアによってスリッター移動モータ１４Ｌの駆動が伝達される。スリッター移動ローラ３０６Ｌの外周はスリッターガイドレール３０７に当接している。このためスリッターユニット３０３Ｌは、スリッター移動ローラ３０６Ｌの表面とスリッターガイドレール３０７との摩擦によってＸ１またはＸ２方向に移動することができる。また、スリッター駆動モータ１６Ｌは、スリッター駆動エンコーダ３０９Ｌによって、回転速度、回転量を制御できる。
【００１８】
図３のようにスリッター上可動刃３０４Ｌとスリッター下可動刃３０５Ｌは、Ｚ方向に可動刃の重なるオーバーラップ量３１３Ｌが設定されている。また、スリッター下可動刃３０５は、Ｙ方向に対して所定量の角度（交差角）θ傾いて、接触点３１１Ｌでスリッター上可動刃３０４Ｌと接触している。スリッター駆動モータ１６Ｌは、スリッター上可動刃３０４Ｌおよびそれと同軸のスリッター搬送ローラ３２０Ｌを回転駆動する。スリッター搬送ローラ３２０Ｌの外周は、スリッター下可動刃３０５Ｌと同軸上に接続されたスリッター従動ローラ３２１Ｌの外周とローラ挟持点３１２Ｌで接触する。したがって、スリッター従動ローラ３２１Ｌと同軸のスリッター下可動刃３０５Ｌは、スリッター従動ローラ３２１Ｌと共に回転する。
【００１９】
このような構成のため、スリッター搬送ローラ３２０Ｌとスリッター従動ローラ３２１Ｌとがシート１を挟持し、スリッター搬送ローラ３２０の回転によってシート１または切断片を下流に搬送する。また、スリッター従動ローラ３２１は、シート１の搬送と共に回転する。このため、スリッター従動ローラ３２１と同軸のスリッター下可動刃３０５が回転する。したがって、シート１は下流に搬送されながらスリッター上可動刃３０４Ｌとスリッター下可動刃３０５Ｌとの接触点でこれらの可動刃の回転を伴って切断される。
【００２０】
なお、本実施形態ではスリッター移動ローラは摩擦駆動としているが、スリッター駆動ローラをピニオン、スリッターガイドレールをラックとしたラックアンドピニオンとする構成にしても良い。また、スリッターユニットを移動させる回転機構をさらに有してもよい。この場合、シートを切断して保持する第１の高さとシートを切断しない第２の高さとに変更することができる。スリッターユニットをシートの幅に合わせた所定位置に移動させる場合は、第２の高さで移動させる。また、シートを保持する場合は第１の高さとすることができる。なお、本実施形態では２台のスリッターを備えているが、１台であっても、２台より多い複数台であってもよい。
【００２１】
図５は、記録装置１００の制御構成を示す概略ブロック図である。制御部４００は、ＲＯＭ４１２に記憶された制御プラグラムに従って、画像記録部、カッター５、スリッター１３を含む記録装置１００の各部を制御する。制御部４００にはモータドライバ４１４が備えられ、搬送モータ５１、カッターモータ１０３、スリッター移動モータ（１４Ｌ、１４Ｒ）、スリッター駆動モータ（１６Ｌ、１６Ｒ）、キャリッジモータ５２の駆動を行う。また、搬送ローラエンコーダ１１２、カッターエンコーダ１０４、スリッター移動エンコーダ（３０９Ｌ、３０９Ｒ）、スリッター駆動エンコーダ（３１０Ｌ、３１０Ｒ）、キャリッジエンコーダ１９、検出センサ１２からの信号を取得する。制御部４００は、取得した信号を基に各種の制御を行うことができる。
【００２２】
制御部４００には、操作ボタンおよび操作画面が備えられている操作パネル（不図示）から、種々の設定情報などが入出力インターフェイスを介して入力される。そのため、操作者は、フチ無し記録、フチ有り記録、切断方法の選択、スリッターユニット（３０３Ｌ，３０３Ｒ）の選択などを行うことができる。
【００２３】
また、制御部４００は、外部インターフェイスを介して、パーソナルコンピュータなどのホスト装置を含む種々の外部装置に接続されている。外部装置との間においては、記録画像のデータなどの種々の情報の授受を行う。さらに制御部４００は、ＲＡＭ４１３に対して、シート１に関する情報などの書き込みおよび読み出しをする。
【００２４】
（画像の記録と記録物の排出のフローチャート）
スリッターは、シート１の幅方向の任意の位置を搬送方向に切断することが可能である。この結果、シート１の搬送方向の上流で切断すると画像が記録された記録物と切断片とが排出される。本実施形態においては記録物を先に排出し、その後に切断片を排出する。ここで、シート１に画像を記録し、シート１から記録物を切断する動作について図６のフローチャートを用いて説明する。フローチャートの各工程におけるカッターとスリッターの状態について図７から図１３を用いて説明する。なお、スリッターユニット３０３Ｌのみでシート１を切断する場合を中心に説明する。また、２台のスリッターユニット（３０３Ｌ、３０３Ｒ）を使用する場合について、図１４と図１５を用いて説明の補足をする。
【００２５】
Ｓ１０１工程において、操作者は操作パネルから記録装置に記録物の生成を行う指令を出す。これにより記録装置１００は、記録物を排出する動作を開始する。記録物の基準側の端部はシート１の端部とし、記録物の非基準側の端部はスリッターユニット３０３Ｌで切断した端部とするモードを選択しているものとする。
【００２６】
なお、操作者は、記録物の両側の端部をそれぞれ２台のスリッターユニット（３０３Ｌ、３０３Ｒ）で切断した端部とするモードを選択することもできる。また、操作者は、スリッターユニットを選択して、画像の幅に応じて、スリッターユニットの位置を設定してもよい。
【００２７】
Ｓ１０２工程において、記録する画像の幅に合わせてスリッター移動モータ１６によってスリッターユニット３０３Ｌを所定位置に移動する。一方、スリッターユニット３０３Ｒは待機位置から移動しない。図７に所定位置に配置されたスリッターユニット（３０３Ｌ、３０３Ｒ）の状態を示す。この状態においてスリッターユニット３０３Ｌの幅方向における切断位置はＸ３である。また、スリッター搬送ローラ３２０Ｌは、シート１から切断されて切断片となる領域をスリッター従動ローラ３２１Ｌとで挟持する。制御部４００は、スリッターユニット３０３Ｌを移動した後に、搬送ローラ８で記録位置Ｙ０にシート１を搬送する。
【００２８】
なお、スリッターの切断位置は、記録物の４辺に余白のないフチ無し記録、記録物の４辺に余白を設けるフチ有り記録によって異なる。
【００２９】
ところで、シートの幅方向において記録領域の両端を切断する場合、スリッターユニット３０３Ｌとスリッターユニット３０３Ｒをそれぞれ所定位置に移動させる。それぞれの切断位置はＸ３およびＸ４である（図１４）。
【００３０】
Ｓ１０３工程において、記録動作を行う。制御部４００は、キャリッジ３によって記録ヘッド２をＸ１方向に走査する。これにより記録ヘッド２の幅に対応する画像がシート１に記録される。
【００３１】
Ｓ１０４工程において、制御部４００は、搬送ローラ８とスリッター搬送ローラ３２０Ｌによって、記録ヘッド２の幅に相当する長さだけシート１を搬送させる。図８に画像の記録とスリッターユニット３０３Ｌによるシートの切断の状態を示す。シート１における幅方向の被切断位置はＳ１である。スリッターユニット３０３Ｌは、シート１の搬送と同時に搬送方向におけるシート１の切断を行う。なお、この間に制御部４００は記録ヘッド２をＸ２方向に戻し、次の記録に備える。
【００３２】
Ｓ１０５工程において、画像の記録が終了したかどうかを判定する。記録が終了していなければＳ１０３工程に戻る。記録が終了するまでＳ１０３工程とＳ１０４工程を繰り返すことでシート１に画像が記録されながら搬送方向におけるシート１の切断が行われる。記録が終了すればＳ１０６工程に進む。
【００３３】
Ｓ１０６工程において、制御部４００は画像の後端側までシート１をスリッターユニット３０３Ｌで切断させる。図９に画像の後端側までスリッターユニット３０３Ｌで切断する状態を示す。搬送方向におけるシート１の被切断位置はＣ１である。そのため、制御部４００は、画像の記録が終了した後も搬送ローラ８とスリッター搬送ローラ３２０Ｌを回転させてシート１を下流に搬送する。搬送する距離は、記録位置Ｙ０とスリッターによる切断位置Ｙ２の差より大きくする。確実に記録物１Ｃを取得するためである。すなわち、スリッターユニット３０３Ｌは、被切断位置Ｃ１を超えてシート１を切断する。スリッターユニット３０３Ｌによるシート１の切断が終了すると制御部４００は、搬送ローラ８とスリッター搬送ローラ３２０Ｌの回転を停止させる。
【００３４】
Ｓ１０７工程において、制御部４００はカッターによる切断位置Ｙ１まで搬送ローラ８とスリッター搬送ローラ３２０Ｌとによって搬送方向と逆方向にシート１を搬送させる。図１０は、シート１の被切断位置Ｃ１がカッターユニット３００の切断位置Ｙ１に配置された状態である。
【００３５】
Ｓ１０８工程において、カッターユニット３００は画像の後端側の被切断位置Ｃ１を切断する。図１１にカッターユニット３００がシートを切断する状態を示す。カッターユニット３００は、Ｘ１方向にシート１を切断する。この時の切断時間は例えば１秒である。切断が終了すると図１２のように、被切断位置Ｃ１およびＳ１で切断された基準側の記録物１Ｃは自重により排出ガイド１１から排出部２０に排出される。この際、スリッター搬送ローラ３２０Ｌとスリッター従動ローラ３２１Ｌとは停止した状態である。したがって、シート１から切断された非基準側の切断片１Ｌは、スリッター搬送ローラ３２０Ｌとスリッター従動ローラ３２１Ｌとで保持されている。
【００３６】
なお、記録領域の両端を切断する場合も同様に、図１４のようにカッターユニット３００は画像の後端側の切断位置Ｃ１をＸ１方向に切断する。そうすると、被切断位置Ｓ１およびＣ１で切断された切断片１Ｌ，被切断位置Ｃ１、Ｓ１、Ｓ２で切断された記録物１Ｃ、被切断位置Ｓ２およびＣ１で切断された切断片１Ｒがそれぞれ生成される。その後、記録物１Ｃは、自重により排出ガイド１１から排出され、排出部２０で収容される。この際、スリッター駆動ローラ（３２０Ｌ、３２０Ｒ）とスリッター従動ローラ（３２１Ｌ、３２１Ｒ）は停止した状態である。そのため、シート１から切断された切断片１Ｌおよび切断片１Ｒは、それぞれスリッターユニット３０３Ｌおよびスリッターユニット３０３Ｒで保持される。
【００３７】
Ｓ１０９工程において、制御部４００は、記録物１Ｃの排出が終了したことを操作パネルに表示し、操作者は排出された記録物を取得する。この状態で切断片１Ｌはまだ排出部２０に排出されていない。その結果、切断片１Ｌと記録物１Ｃは排出部２０の中で混在することはない。したがって、記録物１Ｃが切断片１Ｌによって傷つくことを防ぐことができる。
【００３８】
Ｓ１１０工程において、操作者は操作パネルを操作し、スリッター搬送ローラ３２０Ｌを回転させる。図１３に切断片１Ｌが排出される状態を示す。制御部４００は、切断片１Ｌを排出させた後にとスリッター駆動モータ１６Ｌを停止する。
【００３９】
なお、記録領域の両端を切断する場合、制御部４００は記録物１Ｃを取得した後にスリッター搬送ローラ３２０Ｌとスリッター搬送ローラ３２０Ｒを回転させる。その結果、切断片１Ｌと切断片１Ｒが排出部２０に排出される（図１５）。その後、スリッター駆動モータ１６Ｌとスリッター駆動モータ１６Ｒを停止する。
【００４０】
Ｓ１１１工程において、画像の記録と記録物の排出を終了する。
【００４１】
以上のように記録物と切断片とが排出部２０に同時に収容されないため、記録物が切断片によって傷つかない。
【００４２】
（第２の実施形態）
第１の実施形態は、排出された記録物を操作者が排出部２０から取り除いた後に同じ排出部２０に切断片を排出させる構成である。このため、連続的に記録物を排出するためには操作者が近くにいなければならない。第２の実施形態は、記録物と切断片を別の場所にそれぞれ排出させる構成である。このため、操作者が近くにいない場合であっても連続的に記録を行うことができる。
【００４３】
図１６に第２の実施形態における記録と切断の動作のフローチャートを示す。図１７は１台のスリッターユニット３０３Ｌを使用する場合の上面図、図１８は２台のスリッターユニット（３０３Ｌ，３０３Ｒ）を使用する場合の上面図である。Ｓ２０１工程からＳ２０８工程は第１の実施形態のＳ１０１工程からＳ１０８工程と同じである。記録装置１００は、排出部が複数あることと、仕分け部があることが第１の実施形態と異なる。その他の構成については、第１の実施形態と同じなので説明を省略する。
【００４４】
Ｓ２０８工程において、カッターユニット３００はＸ１方向にシート１の画像の後端側の被切断位置Ｃ１を切断する。シート１を切断すると記録物１Ｃが自重により第１の排出部２１に排出される。
【００４５】
Ｓ２０９工程において、制御部４００は、スリッターユニット３０３Ｌをスリッター移動ローラ３０６ＬによってＸ１方向に移動させる。この際、スリッター搬送ローラ３２０Ｌはスリッター従動ローラ３２１Ｌとで切断片１Ｌを挟持している。このため切断片１Ｌと共にスリッターユニット３０３は移動する（図１７）。
【００４６】
なお、スリッターユニット３０３Ｌとスリッターユニット３０３Ｒの２台を用いて記録領域の両端の切断片を排出することができる。この際、切断片１Ｌは、スリッターユニット３０３Ｌをスリッター移動ローラ３０６ＬによってＸ１方向に移動させる。切断片１Ｒは、スリッターユニット３０３Ｒをスリッター移動ローラ３０６ＲによってＸ２方向に移動させる（図１８）。
【００４７】
Ｓ２１０工程において、制御部４００は、スリッター搬送ローラ３２０Ｌをスリッター駆動モータ１４Ｌによって回転させる。排出された切断片１Ｌは、スリッター１３の下流に設けられた仕分け部２３Ｌによって第２の排出部２２Ｌに排出される。この後制御部４００は、スリッター駆動モータ１４Ｌの回転を停止する。
【００４８】
なお、記録領域の両端を切断する場合、制御部４００は、スリッター搬送ローラ３２０Ｌを回転させる。排出された切断片１Ｌは、仕分け部２３Ｌによって仕分けられ、第２の排出部２２Ｌに排出される。これと同時に、制御部４００はスリッター搬送ローラ３２０Ｒを回転させる。切断片１Ｒは、仕分け部２３Ｒによって仕分けられ、第２の排出部２２Ｒに排出される。その後、スリッター駆動モータ（１４Ｌ、１４Ｒ）の回転を停止する。
【００４９】
Ｓ２１１工程において、画像の記録と記録物の排出を終了する。なお連続して記録を行う場合は、Ｓ２０１工程に戻って記録を行う。
【００５０】
以上のように記録物を第１の排出部２１に収容し、切断片を第２の排出部２２に収容することができる。このため、記録物が切断片によって傷つかない。また、操作者がいない状態であっても連続して画像の記録と切断の動作をすることができる。
【符号の説明】
【００５１】
１  シート
１Ｃ  記録物
１Ｌ、１Ｒ  切断片
２  記録ヘッド
５  カッター
８  搬送ローラ
９  ピンチローラ
１３  スリッター
１４  スリッター駆動モータ
１６  スリッター移動モータ
３２０  スリッター搬送ローラ
３２１  スリッター従動ローラ
４００  制御部
【図１】
2020163773.tif 000003
【図２】
2020163773.tif 000004
【図３】
2020163773.tif 000005
【図４】
2020163773.tif 000006
【図５】
2020163773.tif 000007
【図６】
2020163773.tif 000008
【図７】
2020163773.tif 000009
【図８】
2020163773.tif 000010
【図９】
2020163773.tif 000011
【図１０】
2020163773.tif 000012
【図１１】
2020163773.tif 000013
【図１２】
2020163773.tif 000014
【図１３】
2020163773.tif 000015
【図１４】
2020163773.tif 000016
【図１５】
2020163773.tif 000017
【図１６】
2020163773.tif 000018
【図１７】
2020163773.tif 000019
【図１８】
2020163773.tif 000020